(57)【要約】情報記録媒体を一意に識別可能な媒体識別情報と情報記録媒体に記録されたデジタルコンテンツのコピー可能回数に関する情報を対応付けて管理するコピー回数管理サーバと通信ネットワークを介して相互に通信可能な情報記録装置は、挿入された情報記録媒体の媒体識別情報を取得し、コピー回数管理サーバから、取得した媒体識別情報に対応付けられたコピー可能回数に関する情報を取得するとともに、コピー処理の際にコピー先履歴情報を取得するので、このコピー可能回数に関する情報及びコピー先履歴情報を所定の記憶部に記録する。ユーザから情報記録媒体のコピー可能回数に関する情報の表示要求を受け付けたときは、所定の記憶部に記録されたコピー可能回数に関する情報及びコピー先履歴情報を媒体識別情報と対応付けて、所定の表示部に表示出力する。
2008126285.tif 000002
【特許請求の範囲】
【請求項１】
情報記録媒体を一意に識別可能な媒体識別情報と前記情報記録媒体に記録されたデジタルコンテンツのコピー許可回数に関する情報を対応付けて管理するコピー回数管理サーバと通信ネットワークを介して相互に通信可能な情報記録装置であって、
挿入された情報記録媒体の媒体識別情報を取得する媒体識別情報取得手段と、
前記コピー回数管理サーバから、前記媒体識別情報取得手段が取得した媒体識別情報に対応付けられたコピー許可回数に関する情報を取得する第１のコピー回数情報取得手段と、
前記媒体識別情報取得手段が取得した媒体識別情報と、前記第１のコピー回数情報取得手段が取得したコピー許可回数に関する情報及びコピー処理においてコピー先の情報記録媒体の種類を示すコピー先履歴情報を対応付けたコピー管理情報を所定の記憶部に記録するコピー回数情報記録手段と、
ユーザから前記コピー許可回数に関する情報の表示要求を受け付けたときは、前記所定の記憶部に記録されたコピー管理情報を所定の表示部に表示出力するコピー回数表示手段と、
を有することを特徴とする情報記録装置。
【請求項２】
所定の条件が成立したときは、前記所定の記憶部に記録されたコピー管理情報のそれぞれの媒体識別情報に対応付けられたコピー許可回数に関する情報を、前記コピー回数管理サーバから取得する第２のコピー回数情報取得手段と、
前記第２のコピー回数情報取得手段が取得した、それぞれの媒体識別情報に対応付けられたコピー許可回数と、前記所定の記憶部に記録されたコピー管理情報の前記それぞれの媒体識別情報に対応付けられたコピー許可回数を比較して、前記第２のコピー回数情報取得手段が取得したコピー許可回数に関する情報が新しいときは、前記第２のコピー回数情報取得手段が取得したコピー許可回数に関する情報に基づいて、前記所定の記憶部に記録されたコピー管理情報のコピー許可回数に関する情報を更新する第１のコピー回数情報更新手段と、
前記第１のコピー回数情報更新手段が前記コピー管理情報を更新したときは、更新した前記コピー管理情報の媒体識別情報に対応付けられたコピー先履歴情報を補完する第１のコピー先履歴情報更新手段と、
を有することを特徴とする請求項１記載の情報記録装置。
【請求項３】
前記情報記録装置は複数存在し、複数の前記情報記録装置が構内通信ネットワークを介して相互に通信可能であって、
前記コピー許可回数に関する情報及び前記コピー先履歴情報を、他の前記情報記録装置から取得する第３のコピー回数情報取得手段と、
同一の媒体識別情報に関して、前記第３のコピー回数情報取得手段が取得したコピー許可回数に関する情報と、自己の前記所定の記憶部に記録されたコピー許可回数に関する情報を比較し、他の前記情報記録装置から取得した前記コピー許可回数に関する情報が自己の前記コピー許可回数に関する情報より新しいときは、他の前記情報記録装置から取得した前記コピー可能回数に関する情報に基づいて、前記所定の記憶部に記録されたコピー管理情報のコピー許可回数に関する情報を更新する第２のコピー回数情報更新手段と、
前記第２のコピー回数情報更新手段が前記コピー管理情報を更新したときは、更新した前記コピー管理情報の媒体識別情報に対応付けられたコピー先履歴情報に基づいて、前記所定の記憶部に記録されたコピー管理情報のコピー先履歴情報を更新する第２のコピー先履歴情報更新手段と、
を有することを特徴とする請求項１又は２記載の情報記録装置。
【請求項４】
前記コピー許可回数に関する情報は、
その情報記録媒体に予め設定されている全コピー回数に関する情報と、現時点におけるコピー済回数に関する情報を備えることを特徴とする請求項１乃至３のいずれか１項に記載の情報記録装置。
【請求項５】
前記コピー回数表示手段は、
前記所定の記憶部に記録されたコピー管理情報すべてに対して、前記媒体識別情報が具備するデジタルコンテンツのコンテンツ属性情報と、前記コピー許可回数に関する情報及び前記コピー先履歴情報を対応付けて一覧表示することを特徴とする請求項１乃至４のいずれか１項に記載の情報記録装置。
【請求項６】
前記コピー回数管理サーバは、
さらに、前記媒体識別情報と、コピー制限に関する情報を対応付けて管理し、
前記第１のコピー回数情報取得手段は、
前記コピー回数管理サーバから、前記媒体識別情報取得手段が取得した媒体識別情報に対応付けられたコピー制限に関する情報を取得し、
前記コピー回数情報記録手段は、
前記第１のコピー回数情報取得手段が取得したコピー制限に関する情報を、コピー管理情報を前記コピー管理情報に含めて、前記所定の記憶部に記録し、
前記コピー回数表示手段は、
前記コピー管理情報を含めたコピー管理情報を前記所定の表示部に表示出力することを特徴とする請求項１乃至５のいずれか１項に記載の情報記録装置。
【請求項７】
前記コピー回数管理サーバは、マネージドコピーの規格に準拠したサーバであり、前記情報記録装置は、マネージドコピーの規格に準拠した前記情報記録装置であることを特徴とする請求項１乃至５のいずれか１項に記載の情報記録装置。
【請求項８】
情報記録媒体を一意に識別可能な媒体識別情報と前記情報記録媒体に記録されたデジタルコンテンツのコピー許可回数に関する情報を対応付けて管理するコピー回数管理サーバと通信ネットワークを介して相互に通信可能な情報記録装置が読み取り可能なコピー管理プログラムであって、
前記情報記録装置を、
挿入された情報記録媒体の媒体識別情報を取得する媒体識別情報取得手段と、
前記コピー回数管理サーバから、前記媒体識別情報取得手段が取得した媒体識別情報に対応付けられたコピー許可回数に関する情報を取得する第１のコピー回数情報取得手段と、
前記媒体識別情報取得手段が取得した媒体識別情報と、前記第１のコピー回数情報取得手段が取得したコピー許可回数に関する情報及びコピー処理においてコピー先の情報記録媒体の種類を示すコピー先履歴情報を対応付けたコピー管理情報を所定の記憶部に記録するコピー回数情報記録手段と、
ユーザから前記コピー許可回数に関する情報の表示要求を受け付けたときは、前記所定の記憶部に記録されたコピー管理情報を所定の表示部に表示出力するコピー回数表示手段と、
して機能させることを特徴とするコピー管理プログラム。
【請求項９】
前記情報記録装置を、
所定の条件が成立したときは、前記所定の記憶部に記録されたコピー管理情報のそれぞれの媒体識別情報に対応付けられたコピー許可回数に関する情報を、前記コピー回数管理サーバから取得する第２のコピー回数情報取得手段と、
前記第２のコピー回数情報取得手段が取得した、それぞれの媒体識別情報に対応付けられたコピー許可回数と、前記所定の記憶部に記録されたコピー管理情報の前記それぞれの媒体識別情報に対応付けられたコピー許可回数を比較して、前記第２のコピー回数情報取得手段が取得したコピー許可回数に関する情報が新しいときは、前記第２のコピー回数情報取得手段が取得したコピー許可回数に関する情報に基づいて、前記所定の記憶部に記録されたコピー管理情報のコピー許可回数に関する情報を更新する第１のコピー回数情報更新手段と、
前記第１のコピー回数情報更新手段が前記コピー管理情報を更新したときは、更新した前記コピー管理情報の媒体識別情報に対応付けられたコピー先履歴情報を補完する第１のコピー先履歴情報更新手段と、
して、さらに機能させることを特徴とする請求項８記載のコピー管理プログラム。
【請求項１０】
前記情報記録装置は複数存在し、複数の前記情報記録装置が構内通信ネットワークを介して相互に通信可能であって、
前記情報記録装置を
前記コピー許可回数に関する情報及び前記コピー先履歴情報を、他の前記情報記録装置から取得する第３のコピー回数情報取得手段と、
同一の媒体識別情報に関して、前記第３のコピー回数情報取得手段が取得したコピー許可回数に関する情報と、自己の前記所定の記憶部に記録されたコピー許可回数に関する情報を比較し、他の前記情報記録装置から取得した前記コピー許可回数に関する情報が自己の前記コピー許可回数に関する情報より新しいときは、他の前記情報記録装置から取得した前記コピー可能回数に関する情報に基づいて、前記所定の記憶部に記録されたコピー管理情報のコピー許可回数に関する情報を更新する第２のコピー回数情報更新手段と、
前記第２のコピー回数情報更新手段が前記コピー管理情報を更新したときは、更新した前記コピー管理情報の媒体識別情報に対応付けられたコピー先履歴情報に基づいて、前記所定の記憶部に記録されたコピー管理情報のコピー先履歴情報を更新する第２のコピー先履歴情報更新手段と、
して、さらに機能させることを特徴とする請求項８又は９記載のコピー管理プログラム。
【発明の詳細な説明】
【技術分野】
【０００１】
本発明は、デジタルコンテンツのコピー処理を管理する技術に関し、特に、マネージドコピー（Managed Copy）に対応した情報記録装置に好適に適用することができる。
【背景技術】
【０００２】
Blu-ray DiscやHD DVDといった次世代光ディスクで採用されるデジタルコンテンツ保護技術のＡＡＣＳ（Advanced Access Content System）においては、マネージドコピー（Managed Copy）という規格が規定されている。マネージドコピー（Managed Copy）とは、ネットワーク経由で認証を行うことにより、デジタルコンテンツのコピーを許可する機能のことである。例えば、マネージドコピーに対応した情報記録装置（例えば、ブルーレイディスクレコーダ）でコピーを実施する場合には、購入した光ディスクを挿入した後に、情報記録装置は、光ディスクに記録されたディスクＩＤに従って、コピー回数を管理するマネージドコピーサーバに問い合わせをして、コピー回数に関する情報を取得し、取得したコピー回数に関する情報に基づいてコピー処理の可否を判断し、コピー処理を実現するようになっている。【０００３】
なお、本出願に関連するコピー回数管理に関する先行技術文献としては、次のものがある。【０００４】
【特許文献１】特開２００４−２４６９９６号公報
【特許文献２】特開２００１−２５０３２４号公報
【発明の開示】
【発明が解決しようとする課題】
【０００５】
上述したように、マネージドコピー規格においては、コピー処理を実施する際にマネージドコピーサーバに問い合わせをして、当該光ディスクのコピー回数に関する情報を取得するようになっているので、光ディスクを情報記録装置に挿入しないと、情報記録装置はコピー回数に関する情報を取得することができない、つまり、光ディスクを情報記録装置に挿入しないと、コピー回数に関する情報をユーザに提示することができないという問題がある。このような状況では、ユーザが光ディスクのコピー回数に関する情報を管理するのに非常に不便であり、実使用に耐えられない。【０００６】
本発明は上記の事情を鑑みてなされたものであり、その課題の一例としては、情報記録媒体に記録されたデジタルコンテンツのコピー回数を含むコピー処理に関する情報を、ユーザに利便性よく提示することができる情報記録装置及びコピー管理プログラムを提供することにある。
【課題を解決するための手段】
【０００７】
上記の課題を達成するため、請求項１記載の情報記録装置は、情報記録媒体を一意に識別可能な媒体識別情報と前記情報記録媒体に記録されたデジタルコンテンツのコピー許可回数に関する情報を対応付けて管理するコピー回数管理サーバと通信ネットワークを介して相互に通信可能な情報記録装置であって、挿入された情報記録媒体の媒体識別情報を取得する媒体識別情報取得手段と、前記コピー回数管理サーバから、前記媒体識別情報取得手段が取得した媒体識別情報に対応付けられたコピー許可回数に関する情報を取得する第１のコピー回数情報取得手段と、前記媒体識別情報取得手段が取得した媒体識別情報と、前記第１のコピー回数情報取得手段が取得したコピー許可回数に関する情報及びコピー処理においてコピー先の情報記録媒体の種類を示すコピー先履歴情報を対応付けたコピー管理情報を所定の記憶部に記録するコピー回数情報記録手段と、ユーザから前記コピー許可回数に関する情報の表示要求を受け付けたときは、前記所定の記憶部に記録されたコピー管理情報を所定の表示部に表示出力するコピー回数表示手段と、を有することを特徴とする。【０００８】
また、請求項８記載のコピー管理プログラムは、情報記録媒体を一意に識別可能な媒体識別情報と前記情報記録媒体に記録されたデジタルコンテンツのコピー許可回数に関する情報を対応付けて管理するコピー回数管理サーバと通信ネットワークを介して相互に通信可能な情報記録装置が読み取り可能なコピー管理プログラムであって、前記情報記録装置を、挿入された情報記録媒体の媒体識別情報を取得する媒体識別情報取得手段と、前記コピー回数管理サーバから、前記媒体識別情報取得手段が取得した媒体識別情報に対応付けられたコピー許可回数に関する情報を取得する第１のコピー回数情報取得手段と、前記媒体識別情報取得手段が取得した媒体識別情報と、前記第１のコピー回数情報取得手段が取得したコピー許可回数に関する情報及びコピー処理においてコピー先の情報記録媒体の種類を示すコピー先履歴情報を対応付けたコピー管理情報を所定の記憶部に記録するコピー回数情報記録手段と、ユーザから前記コピー許可回数に関する情報の表示要求を受け付けたときは、前記所定の記憶部に記録されたコピー管理情報を所定の表示部に表示出力するコピー回数表示手段と、して機能させることを特徴とする。
【図面の簡単な説明】
【０００９】
【図１】本発明の実施の形態に係るコピー管理システムの概略構成図である。
【図２】本発明の実施の形態に係るコピー管理システムのマネージドコピー認証サーバが管理するコピー管理情報の構成図である。
【図３】本発明の実施の形態に係るコピー管理システムのマネージドコピー対応情報記録装置の機能ブロック図である。
【図４】本発明の実施の形態に係るコピー管理システムのマネージドコピー対応情報記録装置が管理するコピー管理情報の構成図である。
【図５】本発明の実施の形態に係るコピー管理システムのマネージドコピー対応情報記録装置のコピー処理を示すフローチャートである。
【図６】本発明の実施の形態に係るコピー管理システムのマネージドコピー対応情報記録装置のコピー回数情報表示処理を示すフローチャートである。
【図７】図６のコピー回数情報表示処理の画面表示例である。
【図８】本発明の実施の形態に係るコピー管理システムのマネージドコピー対応情報記録装置のコピー回数情報更新処理１を示すフローチャートである。
【図９】本発明の別の実施の形態に係るコピー管理システムの概略構成図である。
【図１０】本発明の別の実施の形態に係るコピー管理システムのマネージドコピー対応情報記録装置のコピー回数情報更新処理２を示すフローチャートである。
【符号の説明】
【００１０】
１  マネージドコピー認証サーバ
２  マネージドコピー対応情報記録装置
３  通信ネットワーク
４  ＬＡＮ
１０，２０  コピー管理システム
１０１  コピー回数管理ＤＢ
１０２  制御部
１０３  通信部
１１０，２２０  コピー管理情報
１１１，２２１  ディスクＩＤ
１１２，２２２  コピー回数情報
１１３，２２３  コピー制限事項に関する情報
１１４，２２４  コピー先履歴情報
２２５  コンテンツ属性情報
２２６  更新日時
２０１  ＨＤＤ
２０２  ＢＤ／ＤＶＤドライブ
２０３  カードＩ／Ｆ
２０４  イーサネット（登録商標）Ｉ／Ｆ
２０５  ＵＳＢ  ＩＦ
２０６  デジタルチューナ
２０７  ビデオＡＤＣ
２０８  オーディオＡＤＣ
２０９  ＨＤＭＩ  ＩＦ
２１０  ビデオＤＡＣ
２１１  オーディオＤＡＣ
２１２  ＡＶプリ／ポストプロセッサ
２１３  ＡＶエンコーダ
２１４  ＡＶデコーダ
２１５  ストリームプロセッサ
２１６  ＣＰＵ
２１７  不揮発メモリ
２１８  一次記憶メモリ
【発明を実施するための最良の形態】
【００１１】
以下、本発明の実施の形態を図面を用いて説明する。【００１２】
図１は、本発明の実施の形態に係るコピー管理システム１０の概略構成図である。図１に示すコピー管理システム１０は、マネージドコピー（Managed Copy）規格に準拠したコンピュータシステムであり、マネージドコピー認証サーバ１、マネージドコピー対応情報記録装置２、及びマネージドコピー認証サーバ１とマネージドコピー対応情報記録装置２とを相互に通信可能とする、例えば、インターネット網などの通信ネットワーク３を備えている。このような構成により、マネージドコピー対応情報記録装置２が情報記録媒体（光ディスク）に記録されたデジタルコンテンツのコピー処理を行う場合には、マネージドコピー対応情報記録装置２がマネージドコピー認証サーバ１にアクセスし、コピー回数情報を管理するマネージドコピー認証サーバ１がマネージドコピー対応情報記録装置２にコピー処理の許可を与えることにより、マネージドコピー対応情報記録装置２におけるコピー処理が可能となっている。【００１３】
以下の説明においては、マネージドコピー対応情報記録装置２として、次世代ＤＶＤレコーダの一つであるＢＤ（Blu-ray Disc）レコーダを挙げて説明するが、情報記録装置はこれに限定されるものではなく、マネージドコピー規格に対応する情報記録装置であれば何であってもよい。例えば、ＨＤ ＤＶＤ（High Definition DVD）レコーダ、ＤＶＤレコーダ、ＨＤＤレコーダ、ＡＶサーバ、コンピュータなどであってもよい。なお、マネージドコピー規格に対応し、コピー処理が可能であるならば、ＢＤプレーヤ、ＨＤ ＤＶＤプレーヤなどの次世代ＤＶＤプレーヤ、及びＤＶＤプレーヤ等の再生装置であってもよい。さらには、本実施の形態においては、コピー管理システム１０をマネージドコピー規格に準拠したコンピュータシステムとして説明するが、コピー管理システムはこれに限定されるものではなく、情報記録媒体に記録されたデジタルコンテンツのコピー回数情報を管理するサーバ装置が存在し、情報記録装置が通信ネットワークを介してサーバ装置と認証を行い、サーバ装置から取得したコピー回数情報に基づいて、コピー処理の可及び不可を制御するシステム構成であれば、どのような規格等であってもよい。【００１４】
マネージドコピー認証サーバ（以下、サーバという）１は、情報記録媒体（光ディスク）ごとにコピー回数を管理するコピー回数管理サーバであり、詳しくは、図１に示すように、コピー回数管理データベース（以下、コピー回数管理ＤＢという）１０１、制御部１０２、及び通信部１０３を具備する構成である。【００１５】
コピー回数管理ＤＢ１０１は、情報記録媒体（光ディスク）ごとのコピー回数情報を管理するデータベースであり、具体的には、図２（ａ）に示すように、ディスクＩＤ１１１、コピー回数情報１１２、コピー制限事項に関する情報１１３、などの項目を有するコピー管理情報１１０を記憶して管理する。ここで、ディスクＩＤ１１１は、本実施の形態においては、プリレコーデッド・シリアルナンバとコンテンツＩＤの組合せにより構成され、光ディスクを一意に識別可能な情報である。また、コピー回数情報１１２には、現時点においてコピー可能なコピー許可回数が管理されており、具体的には、全コピー回数（当該光ディスクに予め設定されている最大コピー回数）１１２ａとコピー済回数（すでにコピーした回数）１１２ｂで構成されている。例えば、全コピー回数が３回、コピー済回数が１回であれば、現時点で残りあと２回コピー処理を行うことができる。また、コピー制限事項に関する情報１１３は、例えば、コピー先の情報記録媒体の種類を限定している場合など、そのコピー処理に何らかの制限を加えている場合の制限事項を管理している（例えば、コピー先はＶＧＡサイズ以下に限定など）。【００１６】
制御部１０２は、少なくとも演算機能及び制御機能を備えた中央演算処理装置（ＣＰＵ）、並びに、プログラムやデータを格納する機能を有するＲＯＭ、ＲＡＭ等からなる主記憶装置から構成されており、サーバ１全体の制御を行うようになっている。【００１７】
通信部１０３は、通信ネットワーク３を介して、マネージドコピー対応情報記録装置２とデータの送受信を行うようになっている。【００１８】
図３は、マネージドコピー対応情報記録装置（以下、情報記録装置という）２の機能ブロック図である。情報記録装置２は、ＨＤＤ２０１及びＢＤ／ＤＶＤドライブ２０２を備えており、ハードディスクに対するデータの記録再生、及びＢＤ／ＤＶＤに対するデータの記録再生を行う。また、情報記録装置２は、カードＩ／Ｆ２０３、イーサネット（登録商標）Ｉ／Ｆ２０４、ＵＳＢ Ｉ／Ｆ２０５などのインターフェースを介して、メモリカード、ネットワークデバイス、ＵＳＢデバイスなど外部接続機器とデータのやりとりが可能となっている。本実施の形態においては、光ディスク（ＢＤ／ＤＶＤ）に記録されたデジタルコンテンツを光ディスク、ハードディスク、その他、外部接続機器にコピー処理可能である。【００１９】
デジタルチューナ２０６は、デジタル放送を受信する。また、ビデオＡＤＣ（ビデオＡ／Ｄコンバータ）２０７は、外部機器から入力された映像信号のアナログ−デジタル変換を行い、オーディオＡＤＣ（オーディオＡ／Ｄコンバータ）２０８は、外部機器から入力された音声信号のアナログ−デジタル変換を行う。ＨＤＭＩ（High-Definition Multimedia Interface） ＩＦ２０９は、ＨＤＭＩ規格に応じた映像信号、音声信号及び制御信号のインターフェース変換を行う。また、ビデオＤＡＣ（ビデオＤ／Ａコンバータ）２１０は、映像信号のデジタル−アナログ変換を行い、変換されたアナログ映像信号を外部機器に対して出力し、オーディオＤＡＣ（オーディオＤ／Ａコンバータ）２１１は、音声信号のデジタル−アナログ変換を行い、変換されたアナログ音声信号を外部機器に対して出力する。【００２０】
ＡＶプリ／ポストプロセッサ２１２は、ビデオＡＤＣ２０７及びオーディオＡＤＣ２０８を介して入力された映像情報及び音声情報の前処理、具体的には、時間軸補正処理、画質改善処理などの処理を行う。また、映像情報及び音声情報の後処理、具体的には、画質改善処理、合成処理、画素変換処理、フレーム変換処理などの処理を行って、ＨＤＭ Ｉ ＩＦ２０９、ビデオＤＡＣ２１０、及びオーディオＤＡＣ２１１に出力する。【００２１】
ＡＶエンコーダ２１３は、ＡＶプリ／ポストプロセッサ２１２から出力された映像信号及び音声信号の符号化、多重化処理を行って、ストリームプロセッサ２１５に出力する。ＡＶデコーダ２１４は、ストリームプロセッサ２１５から入力された映像信号及び音声信号の復号化、データ分離処理を行って、ＡＶプリ／ポストプロセッサ２１２に出力する。本実施の形態においては、異なる情報記録媒体間においてコピー処理が行われるので、ＡＶデコーダ２１４及びＡＶエンコーダ２１３を介して、コード変換が行われる。【００２２】
ストリームプロセッサ２１５は、データ転送の制御や、データの暗号化や暗号化解除処理を行う。【００２３】
ＣＰＵ２１６は、情報記録装置２の演算・制御手段であり、不揮発メモリ２１７は、プログラムやデータなどの記憶手段であり、一次記憶メモリ２１８は、ストリームデータや表示データの一次記憶手段である。【００２４】
ここで、不揮発メモリ２１７には、情報記録媒体（光ディスク）ごとに管理されるコピー管理情報２２０が記憶されている。コピー管理情報２２０は、サーバ１から取得したコピー管理情報１１０に基づいて作成される情報で、コピー管理情報１１０と略同一の構成であるが、コピー管理情報１１０の項目に加えて、コピー先履歴情報、コンテンツ属性情報（コンテンツのタイトル名、出演者情報、ジャンル情報、ジャケット画像など）、更新日時などの項目を備えている。すなわち、コピー回数情報２２０は、具体的には、図４に示すように、ディスクＩＤ２２１、コピー回数情報２２２（詳しくは、全コピー回数２２２ａ、コピー済回数２２２ｂ）、コピー制限事項に関する情報２２３、コピー先履歴情報２２４、コンテンツ属性情報２２５、更新日時２２６などの情報などの情報で構成される。なお、コピー先履歴情報２２４には、コピー先の情報記録媒体の種類に関する情報（例えば、ＨＤＤ、ＤＶＤ−ＲＷなど）が設定される。また、コンテンツ属性情報２２５は、情報記録装置２に装着された光ディスクから取得するようにしてもよいし、通信ネットワーク３を介してコンテンツ属性情報を管理するサーバ（サーバ１が保持する場合にはサーバ１でもよい）から取得するようにしてもよい。【００２５】
また、不揮発メモリ２１７には、情報記録装置２の後述する各種処理を実行するプログラムが格納されている。このプログラムは、不揮発メモリ２１７に記憶されるほか、ハードディスク、フレキシブルディスク、ＣＤ−ＲＯＭ、ＤＶＤ−ＲＯＭなどのコンピュータ読み取り可能な記録媒体に記録することも、通信ネットワークを介して配信されることも可能である。【００２６】
次に、図５〜図８を用いて、コピー管理システム１０における情報記録装置２の動作について説明する。ここで、図５は、情報記録装置２のコピー処理を示すフローチャートであり、図６は、情報記録装置２のコピー回数情報表示処理を示すフローチャートであり、図８は、情報記録装置２のコピー回数情報更新処理１を示すフローチャートである。また、図７は、情報記録装置２がコピー回数情報を表示したときの画面表示例を示している。なお、図５、図６及び図８に示す各処理は、情報記録装置２のＣＰＵ２１６の制御により行われるものである。【００２７】
まず、図５を参照して、情報記録装置２のコピー処理について説明する。【００２８】
情報記録装置２は、ユーザが載置した光ディスクを挿入すると（ステップＳ１０）、光ディスクからディスクＩＤを取得する（ステップＳ２０）。【００２９】
次いで、情報記録装置２は、取得したディスクＩＤに基づいて、通信ネットワーク３を介してサーバ１にアクセスし、サーバ認証処理を行う（ステップＳ３０）。【００３０】
サーバ１に認証された情報記録装置２は、サーバ１からコピー管理情報１１０を取得する（ステップＳ４０）。より詳しくは、情報記録装置２は、挿入した光ディスクのディスクＩＤに基づいて、コピー回数管理ＤＢ１０１から該当するディスクＩＤのコピー回数情報１１２及びコピー制限事項に関する情報１１３などを含むコピー管理情報１１０を取得する。【００３１】
次いで、情報記録装置２は、ユーザによりコピー処理を選択されたか否かを判定する（ステップＳ５０）。コピー処理を選択されたときは（ステップＳ５０：ＹＥＳ）、ユーザからコピー先の情報記録媒体の指定を受ける（ステップＳ６０）。【００３２】
次いで、情報記録装置２は、コピー可能かどうかを判定する（ステップＳ７０）。取得したコピー管理情報１１０のコピー回数情報１１２及びコピー制限事項に関する情報１１３から、コピーが可能である場合には（ステップＳ７０；ＹＥＳ）、情報記録装置２は、コピー処理を行い（ステップＳ８０）、コピー処理の結果をサーバ１に通知する（ステップＳ９０）。サーバ１は、情報記録装置２からコピー処理が正常に終了した旨の通知を受信すると、該当するディスクＩＤ１１１のコピー済回数１１２ｂに１加算し、コピー回数管理ＤＢ１０１に反映する。【００３３】
ここで、コピーが可能である場合とは、例えば、取得したコピー回数情報１１２において、全コピー回数１１２ａ＞コピー済回数１１２ｂの場合を意味し、また、コピー制限事項に関する情報１１３に基づいて、コピー制限事項が存在する場合には、コピー制限事項内のコピー処理である場合を意味する。【００３４】
次いで、情報記録装置２は、取得したコピー管理情報１１０に基づいて、ディスクＩＤ２２１、コピー回数情報２２１、及びコピー制限事項に関する情報２２３を設定し、また、指定されたコピー先の情報記録媒体の種類に基づいて、コピー先履歴情報２２４を設定し、また、コンテンツ属性情報２２５を所定の情報源から取得して設定し、また、情報記録装置２が有する時計が取得した現在の日時情報を更新日時２２６に設定して、コピー管理情報２２０を不揮発メモリ２１７に保存する（ステップＳ１００）。【００３５】
一方、ユーザによりコピー処理が選択されなかった場合（ステップＳ５０；ＮＯ）、または、コピーが可能でない場合（ステップＳ７０；ＮＯ）は、情報記録装置２は、コピー処理を行わず、取得したコピー管理情報１１０に基づいて、ディスクＩＤ２２１、コピー回数情報２２１、及びコピー制限事項に関する情報２２３を設定し、また、指定されたコピー先の情報記録媒体の種類に基づいて、コピー先履歴情報２２４を設定し、また、コンテンツ属性情報２２５を所定の情報源から取得して設定し、また、情報記録装置２が有する時計から取得した現在の日時情報を更新日時２２６に設定して、コピー管理情報２２０を不揮発メモリ２１７に保存する（ステップＳ１００）。【００３６】
この結果、コピー処理を実行すると（正確には、ステップＳ８０のコピー処理を実行しなくてもよく、光ディスクを情報記録装置２に挿入して、サーバ1からコピー回数情報１１２を含むコピー管理情報１１０を取得すると）、情報記録装置２の不揮発メモリ２１７には、コピー元の光ディスクに記録されたデジタルコンテンツに関するコピー管理情報２２０が記憶されるので、以後、光ディスクに記録されたデジタルコンテンツのコピー回数情報及びコピー先履歴情報に関しては、情報記録装置２においても管理可能となる。【００３７】
なお、図５に示すコピー処理においては、サーバ１からコピー管理情報１１０を取得して、不揮発メモリ２１７にコピー管理情報２２０を保存するだけであったが、保存するとともに、保存するコピー管理情報２２０をユーザに表示する表示処理を行うようにしてもよい。【００３８】
次に、図６を参照して、情報記録装置２のコピー回数情報表示処理を説明する。【００３９】
ユーザが、情報記録装置２に対してコピー回数情報の表示を指示すると、情報記録装置２は、不揮発メモリ２１７に記憶されたすべてのコピー管理情報２２０を取得し（ステップＳ１１０）、情報記録装置２と接続された画像表示装置（例えば、ＴＶなど）の表示画面に、取得したコピー管理情報２２０をディスクＩＤ２２１ごとに一覧表示する（ステップＳ１２０）。図７にコピー管理情報２２０の一覧表示の画面例ｄ１０を示す。図７に示す画面例ｄ１０においては、コンテンツ属性情報（タイトル名、ジャケット写真、出演者情報など）と、コピー回数情報（全コピー回数、コピー済回数）、及び制限事項に関する情報、並びにコピー先履歴情報を対応付けて一覧表として表示している。例えば、コンテンツ「フライト○○○○」は、全コピー回数４回のうち、すでに２回コピー済みであることを示しており、既に実施したコピー処理においては、ＨＤＤ及びＤＶＤ−ＲＷにコンテンツはコピーされている。また、コンテンツ「スピ△△」は、全コピー回数２回のうち、すでに１回コピー済みであり、コピー制限事項として、コピー先の画像サイズに制限があり、ＶＧＡサイズ以下であることを示しており、既に実施したコピー処理においては、ＳＤ−ＣＡＲＤにコンテンツはコピーされている。【００４０】
このように、本実施の形態に係る情報記録装置２は、サーバ１にその都度アクセスしなくとも、ユーザからの表示指示があれば、コピー回数情報２２２をはじめとするコピー管理情報２２０をいつでも表示することができる。特に、本実施の形態においては、コピー回数情報２２２のほか、コピー先履歴情報２２４も表示されるので、ユーザは過去のコピー履歴を把握することができる。【００４１】
なお、本実施の形態においては、不揮発メモリ２１７に記憶されたすべてのコピー管理情報２２０を一覧表示の形式でユーザに提示するようにしたが、コピー回数情報２２２やコピー先履歴情報２２４を含むコピー管理情報２２０の表示態様はこれに限定されず、他の表示態様であってもよい。例えば、ユーザから指示されたコンテンツのみのコピー管理情報２２０を表示するようにしてもよい。また、上記説明では、コピー管理情報２２０を情報記録装置２と接続された画像表示装置に表示したが、これに加えて、情報記録装置２の所定の情報表示部に表示するようにしてもよい。【００４２】
次に、図８を参照して、情報記録装置２のコピー回数情報更新処理１を説明する。これは、光ディスクを情報記録装置２に挿入することをしなくても（コピー処理をしなくても）、適宜（定期または不定期に）、サーバ１にアクセスし、コピー管理情報１１０（コピー回数情報１１２）を取得して、情報記録装置２のコピー管理情報２２０（コピー回数情報２２２及びコピー先履歴情報２２４）を更新する処理である。情報記録装置２上でコピー回数情報を管理された情報記録媒体が、常に情報記録装置２上でコピー処理されるとは限らず、他の情報記録装置でコピー処理されることがあり得ることを考慮したものである。すなわち、他の情報記録装置でコピー処理した場合には、サーバ１が管理するコピー管理情報１１０のコピー回数情報１１２と、情報記録装置２が管理するコピー管理情報２２０のコピー回数情報２２２が一致しないので、サーバ１が管理するコピー回数情報１１２を情報記録装置２のコピー回数情報２２２に反映するものである。【００４３】
コピー回数情報更新処理１を実行するための所定の条件が成立すると、情報記録装置２はコピー回数情報２２２の取得に必要なディスクＩＤを準備する（ステップＳ２１０）。ここで、コピー回数情報２２２の取得に必要なディスクＩＤとは、情報記録装置２が管理しているコピー管理情報２２０すべてのディスクＩＤ２２１、すなわち、揮発メモリ２１７に記憶しているディスクＩＤ２２１すべてである。【００４４】
次いで、情報記録装置２は、不揮発メモリ２１７に記憶しているディスクＩＤ２２１の中からいずれか１つのディスクＩＤ２２１を選択し（ステップＳ２２０）、選択されたディスクＩＤ２２１に基づいて、通信ネットワーク３を介して接続されているサーバ１にアクセスし、サーバ認証処理を行う（ステップＳ２３０）。【００４５】
サーバ１に認証された情報記録装置２は、サーバ１からコピー回数情報１１２を取得する（ステップＳ２４０）。より詳しくは、情報記録装置２は、選択されたディスクＩＤ２２１に基づいて、コピー回数管理ＤＢ１０１から該当するディスクＩＤ１１１のコピー回数情報１１２を取得する。【００４６】
次いで、情報記録装置２は、取得したコピー回数情報１１２と、選択されたディスクＩＤ２２１のコピー回数情報２２２が一致するか否かを判定する（ステップＳ２５０）。取得したコピー回数情報１１２と、選択されたディスクＩＤ２２１のコピー回数情報２２２が一致しないときは、情報記録装置２内のコピー回数情報２２２が最新ではないので、情報記録装置２は、取得したコピー回数情報１１２に基づいて、選択されたディスクＩＤ２２１のコピー回数情報２２２を更新する（ステップＳ２６０）。また、情報記録装置２内のコピー先履歴情報２２４も最新ではないので、情報記録装置２は、コピー先履歴情報２２４を補完する（ステップＳ２７０）。具体的には、新たなコピー処理に関するコピー先履歴情報２２４が不明であるときは、不明な情報記録媒体を、新たなコピー処理におけるコピー先履歴情報２２４として追加し、また、新たなコピー処理に関するコピー先履歴情報２２４が把握可能であるときは（例えば、サーバ１がコピー先履歴情報２２４を別途管理していた場合など）、把握した情報記録媒体を、新たなコピー処理におけるコピー先履歴情報２２４として追加する。【００４７】
次いで、情報記録装置２は、選択したディスクＩＤ２２１と、更新したコピー回数情報２２２及び補完したコピー先履歴情報２２４を対応付けたコピー管理情報２２０を不揮発メモリ２１７に保存する（ステップＳ２８０）。なお、コピー管理情報２２０の更新日時２２６には、コピー回数情報２２２が更新された日時が設定され、不揮発メモリ２１７に保存される。【００４８】
次いで、情報記録装置２は、必要なすべてのディスクＩＤ２２１に対して、コピー回数情報２２２を取得したか否かを判定する（ステップＳ２９０）。必要なすべてのディスクＩＤ２２１に対して、コピー回数情報２２２を取得したときは、コピー回数情報更新処理１を終了し（ステップＳ２９０：ＹＥＳ）、必要なすべてのディスクＩＤ２２１に対して、コピー回数情報を取得していないときは（ステップＳ２９０：ＮＯ）、ステップＳ２２０に戻る。【００４９】
このように、本実施の形態に係る情報記録装置２は、適宜、サーバ１にアクセスして、情報記録媒体に関するコピー回数情報を取得するので、他の情報記録装置で当該情報記録媒体に記録されたデジタルコンテンツのコピー処理を行ったとしても、コピー回数情報の不整合をなくすことができる。また、このコピー回数情報の反映処理に合わせて、コピー先履歴情報も補完するので、コピー回数情報とコピー先履歴情報の間の不整合も発生することはない。【００５０】
以上説明したとおり、本実施の形態に係るコピー管理システム１０によれば、情報記録媒体を一意に識別可能なディスクＩＤと情報記録媒体に記録されたデジタルコンテンツのコピー回数情報を対応付けて管理するサーバ１と、サーバ１と通信ネットワーク３を介して相互に通信可能な情報記録装置２と、を備え、情報記録装置２は、挿入された情報記録媒体のディスクＩＤを取得すると、サーバ１から、取得したディスクＩＤのコピー回数情報を取得するとともに、コピー処理の際にコピー先履歴情報を取得するので、このコピー回数情報及びコピー先履歴情報をメモリ上に記録する。そして、情報記録装置２は、ユーザから情報記録媒体のコピー回数情報の表示要求を受け付けたときは、メモリに記録されたコピー回数情報及びコピー先履歴情報をディスクＩＤと対応付けて、画像表示装置に表示出力する。この結果、サーバ１にその都度、問い合わせをすることなく、情報記録媒体に記録されたデジタルコンテンツのコピー回数情報及びコピー先履歴情報を、ユーザに利便性よく提示することができる。【００５１】
すなわち、マネージドコピー規格において、光ディスクを情報記録装置に挿入しなくても、簡単に、光ディスクに記録されたデジタルコンテンツのコピー回数情報及びコピー先履歴情報をユーザに提示することができるので、ユーザは、情報記録媒体に記録されたデジタルコンテンツのコピー処理に関する情報を詳細に把握することができる。【００５２】
また、本実施の形態に係るコピー管理システム１０によれば、光ディスクに記録されたデジタルコンテンツが、他の情報記録装置でコピー処理されたとしても、情報記録装置２は、最新のコピー回数情報を適宜、サーバ１から取得するので、正確なコピー回数情報、及び補完されたコピー先履歴情報をユーザに提示することができる。【００５３】
以上、本発明の実施の形態について説明してきたが、本発明の要旨を逸脱しない範囲において、本発明の実施の形態に対して種々の変形や変更を施すことができる。【００５４】
例えば、上記実施の形態のコピー管理システム１０においては、ユーザ宅に１つの情報記録装置２を備える構成として説明したが、ＬＡＮなどの構内通信ネットワークを介して複数の情報記録装置２が相互に通信可能な構成としてもよい。そして、この場合には、ＬＡＮで接続された複数の情報記録装置２がお互いにコピー回数情報２２２をやりとりするようにしてもよい。これにより、デジタルコンテンツのコピーを一定の範囲内（ＬＡＮ内）で行う環境であれば、サーバ１と一時的に通信ができない状況になっても、複数の情報記録装置２間でコピー回数情報のやりとりが行えるので、ＬＡＮ内の最新コピー回数情報を自らの装置に反映することができる。【００５５】
図９は、複数の情報記録装置２ａ、２ｂ、…、２ｎによりＬＡＮ４が構築されている場合のコピー管理システム２０の概略構成図である。コピー管理システム２０の情報記録装置２ｉ（ｉ＝ａ，ｂ、…、ｎ）は、上記実施の形態で述べたコピー処理、及びコピー回数情報更新処理１に加えて、情報記録装置２ｉ間でコピー回数情報及びコピー先履歴情報をやりとりするコピー回数情報更新処理２を実行する。【００５６】
図１０は、情報記録装置２ｉのコピー回数情報更新処理２のフローチャートである。なお、以下においては、情報記録装置２ａが他の情報記録装置２ｂ、…、２ｎからコピー回数情報２２２及びコピー先履歴情報２２４を取得するものとして、説明する。【００５７】
ユーザにより、コピー回数情報更新処理２の実行を指示されると、情報記録装置２ａは、コピー回数情報２２２の取得に必要なディスクＩＤを準備する（ステップＳ３１０）。ここで、コピー回数情報２２２の取得に必要なディスクＩＤとは、情報記録装置２ａが管理しているコピー管理情報２２０すべてのディスクＩＤ２２１、すなわち、情報記録装置２ａの揮発メモリ２１７に記憶しているディスクＩＤ２２１すべてである。【００５８】
次いで、情報記録装置２ａは、不揮発メモリ２１７に記憶しているディスクＩＤ２２１の中からいずれか１つのディスクＩＤ２２１を選択する（ステップＳ３２０）。【００５９】
次いで、情報記録装置２ａは、ＬＡＮ４を介して接続されている他の情報記録装置２ｂ、…、２ｎにアクセスし、選択されたディスクＩＤ２２１に該当するコピー回数情報２２２、コピー先履歴情報２２４、及び更新日時２２６を、他の情報記録装置２ｂ、…、２ｎの不揮発メモリ２１７から取得する（ステップＳ３３０）。【００６０】
次いで、情報記録装置２ａは、選択されたディスクＩＤ２２１における自己のコピー回数情報２２２と取得したコピー回数情報２２２を比較し（ステップＳ３４０）、自己のコピー回数情報２２２が最新であるか否かを判定する（ステップＳ３５０）。ここで、コピー回数情報の比較においては、コピー済回数２２２ｂの値が小さいコピー管理情報２２０を最新のレコードであると判断してもよいし、また、更新日時２２６が最新の日時であるコピー管理情報２２０を最新のレコードと判断してもよい。【００６１】
自己のコピー回数情報２２２が最新でないときは（ステップＳ３５０：ＮＯ）、情報記録装置２ａは、取得した最新のコピー回数情報２２２に基づいて、該当するディスクＩＤ２２１のコピー管理情報２２０のコピー回数情報２２２を更新し（ステップＳ３６０）、次いで、取得した最新のコピー先履歴情報２２４に基づいて、該当するディスクＩＤ２２１のコピー管理情報２２０のコピー先履歴情報２２４を補完する（ステップＳ３７０）。そして、情報記録装置２ａは、選択してディスクＩＤ２２１と、更新したコピー管理情報２２０、及び補完したコピー先履歴情報２２４を対応付けたコピー管理情報２２０を不揮発メモリ２１７に保存する（ステップＳ３８０）。なお、このコピー管理情報２２０の更新日時２２６には、当該処理の実行日時が設定される。【００６２】
一方、自己のコピー回数情報２２２が最新であるときは、コピー回数情報２２２及びコピー先履歴情報２２４を更新する必要がないので、上述したステップＳ３６０乃至Ｓ３８０の処理は実行されない。【００６３】
次いで、情報記録装置２ａは、必要なすべてのディスクＩＤ２２１に対して、コピー回数情報２２２を取得したか否かを判定する（ステップＳ３９０）。必要なすべてのディスクＩＤ２２１に対して、コピー回数情報２２２を取得したときは、コピー回数情報更新処理２を終了し（ステップＳ３９０：ＹＥＳ）、必要なすべてのディスクＩＤ２２１に対して、コピー回数情報を取得していないときは（ステップＳ３９０：ＮＯ）、ステップＳ３２０に戻る。【００６４】
このように、情報記録装置２ａは、通信障害が発生してサーバ１にアクセスできない状況が生じたとしても、ＬＡＮ内の他の情報記録装置２ｂ、…、２ｎからコピー回数情報２２２及びコピー先履歴情報２２４を取得することができるので、情報記録媒体に記録されたデジタルコンテンツをＬＡＮ４内でコピー処理をしていると想定すれば、情報記録装置２ａのコピー回数情報２２２及びコピー先履歴情報２２４を最新の情報に更新することができる。【００６５】
すなわち、本変形例に係るコピー管理システム２０によれば、光ディスクに記録されたデジタルコンテンツがＬＡＮ４内の情報記録装置２ｉでコピー処理されるならば、外部の通信ネットワーク３と接続できない状況であったとしても、情報記録装置２ｉは、他の情報記録装置２ｉとコピー回数情報２２２及びコピー先履歴情報２２４をやりとり可能なので、最新のコピー回数情報及びコピー先履歴情報を取得でき、正確なコピー回数情報、及びコピー回数に対応したコピー先履歴情報をユーザに提示することができる。【００６６】
また、上記実施の形態においては、サーバ１は、コピー回数管理ＤＢ１０１にコピー先履歴情報を管理していなかったが、図２（ｂ）に示すように、コピー先履歴情報１１４を含むコピー管理情報１２０をコピー回数管理ＤＢ１０１に管理するようにしてもよい。この場合には、上述したコピー回数情報更新処理１（図８参照）において、情報記録装置２は、正確なコピー先履歴情報をユーザに提示することができる。
【図１】
2008126285.tif 000003
【図２】
2008126285.tif 000004
【図３】
2008126285.tif 000005
【図４】
2008126285.tif 000006
【図５】
2008126285.tif 000007
【図６】
2008126285.tif 000008
【図７】
2008126285.tif 000009
【図８】
2008126285.tif 000010
【図９】
2008126285.tif 000011
【図１０】
2008126285.tif 000012
【手続補正書】
【提出日】平成21年8月26日(2009.8.26)
【手続補正１】
【補正対象書類名】明細書
【補正対象項目名】０００７
【補正方法】変更
【補正の内容】
【０００７】
上記の課題を達成するため、請求項１記載の情報記録装置は、情報記録媒体を一意に識別可能な媒体識別情報と前記情報記録媒体に記録されたデジタルコンテンツのコピー許可回数に関する情報を対応付けて管理するコピー回数管理サーバと通信ネットワークを介して相互に通信可能な情報記録装置であって、挿入された情報記録媒体の媒体識別情報を取得する媒体識別情報取得手段と、前記コピー回数管理サーバから、前記媒体識別情報取得手段が取得した媒体識別情報に対応付けられたコピー許可回数に関する情報を取得する第１のコピー回数情報取得手段と、前記媒体識別情報取得手段が取得した媒体識別情報と、前記第１のコピー回数情報取得手段が取得したコピー許可回数に関する情報及びコピー処理においてコピー先の情報記録媒体の種類を示すコピー先履歴情報を対応付けたコピー管理情報を所定の記憶部に記録するコピー回数情報記録手段と、ユーザから前記コピー許可回数に関する情報の表示要求を受け付けたときは、前記所定の記憶部に記録されたコピー管理情報を所定の表示部に表示出力するコピー回数表示手段と、所定の条件が成立したときは、前記所定の記憶部に記録されたコピー管理情報のそれぞれの媒体識別情報に対応付けられたコピー許可回数に関する情報を、前記コピー回数管理サーバから取得する第２のコピー回数情報取得手段と、前記第２のコピー回数情報取得手段が取得した、それぞれの媒体識別情報に対応付けられたコピー許可回数と、前記所定の記憶部に記録されたコピー管理情報の前記それぞれの媒体識別情報に対応付けられたコピー許可回数を比較して、前記第２のコピー回数情報取得手段が取得したコピー許可回数に関する情報が新しいときは、前記第２のコピー回数情報取得手段が取得したコピー許可回数に関する情報に基づいて、前記所定の記憶部に記録されたコピー管理情報のコピー許可回数に関する情報を更新する第１のコピー回数情報更新手段と、前記第１のコピー回数情報更新手段が前記コピー管理情報を更新したときは、更新した前記コピー管理情報の媒体識別情報に対応付けられたコピー先履歴情報を補完する第１のコピー先履歴情報更新手段と、を有することを特徴とする。
【手続補正２】
【補正対象書類名】明細書
【補正対象項目名】０００８
【補正方法】変更
【補正の内容】
【０００８】
また、請求項７記載のコピー管理プログラムは、情報記録媒体を一意に識別可能な媒体識別情報と前記情報記録媒体に記録されたデジタルコンテンツのコピー許可回数に関する情報を対応付けて管理するコピー回数管理サーバと通信ネットワークを介して相互に通信可能な情報記録装置が読み取り可能なコピー管理プログラムであって、前記情報記録装置を、挿入された情報記録媒体の媒体識別情報を取得する媒体識別情報取得手段と、前記コピー回数管理サーバから、前記媒体識別情報取得手段が取得した媒体識別情報に対応付けられたコピー許可回数に関する情報を取得する第１のコピー回数情報取得手段と、前記媒体識別情報取得手段が取得した媒体識別情報と、前記第１のコピー回数情報取得手段が取得したコピー許可回数に関する情報及びコピー処理においてコピー先の情報記録媒体の種類を示すコピー先履歴情報を対応付けたコピー管理情報を所定の記憶部に記録するコピー回数情報記録手段と、ユーザから前記コピー許可回数に関する情報の表示要求を受け付けたときは、前記所定の記憶部に記録されたコピー管理情報を所定の表示部に表示出力するコピー回数表示手段と、所定の条件が成立したときは、前記所定の記憶部に記録されたコピー管理情報のそれぞれの媒体識別情報に対応付けられたコピー許可回数に関する情報を、前記コピー回数管理サーバから取得する第２のコピー回数情報取得手段と、前記第２のコピー回数情報取得手段が取得した、それぞれの媒体識別情報に対応付けられたコピー許可回数と、前記所定の記憶部に記録されたコピー管理情報の前記それぞれの媒体識別情報に対応付けられたコピー許可回数を比較して、前記第２のコピー回数情報取得手段が取得したコピー許可回数に関する情報が新しいときは、前記第２のコピー回数情報取得手段が取得したコピー許可回数に関する情報に基づいて、前記所定の記憶部に記録されたコピー管理情報のコピー許可回数に関する情報を更新する第１のコピー回数情報更新手段と、前記第１のコピー回数情報更新手段が前記コピー管理情報を更新したときは、更新した前記コピー管理情報の媒体識別情報に対応付けられたコピー先履歴情報を補完する第１のコピー先履歴情報更新手段と、して、機能させることを特徴とする。
【手続補正３】
【補正対象書類名】特許請求の範囲
【補正対象項目名】全文
【補正方法】変更
【補正の内容】
【特許請求の範囲】
【請求項１】
情報記録媒体を一意に識別可能な媒体識別情報と前記情報記録媒体に記録されたデジタルコンテンツのコピー許可回数に関する情報を対応付けて管理するコピー回数管理サーバと通信ネットワークを介して相互に通信可能な情報記録装置であって、
挿入された情報記録媒体の媒体識別情報を取得する媒体識別情報取得手段と、
前記コピー回数管理サーバから、前記媒体識別情報取得手段が取得した媒体識別情報に対応付けられたコピー許可回数に関する情報を取得する第１のコピー回数情報取得手段と、
前記媒体識別情報取得手段が取得した媒体識別情報と、前記第１のコピー回数情報取得手段が取得したコピー許可回数に関する情報及びコピー処理においてコピー先の情報記録媒体の種類を示すコピー先履歴情報を対応付けたコピー管理情報を所定の記憶部に記録するコピー回数情報記録手段と、
ユーザから前記コピー許可回数に関する情報の表示要求を受け付けたときは、前記所定の記憶部に記録されたコピー管理情報を所定の表示部に表示出力するコピー回数表示手段と、
所定の条件が成立したときは、前記所定の記憶部に記録されたコピー管理情報のそれぞれの媒体識別情報に対応付けられたコピー許可回数に関する情報を、前記コピー回数管理サーバから取得する第２のコピー回数情報取得手段と、
前記第２のコピー回数情報取得手段が取得した、それぞれの媒体識別情報に対応付けられたコピー許可回数と、前記所定の記憶部に記録されたコピー管理情報の前記それぞれの媒体識別情報に対応付けられたコピー許可回数を比較して、前記第２のコピー回数情報取得手段が取得したコピー許可回数に関する情報が新しいときは、前記第２のコピー回数情報取得手段が取得したコピー許可回数に関する情報に基づいて、前記所定の記憶部に記録されたコピー管理情報のコピー許可回数に関する情報を更新する第１のコピー回数情報更新手段と、
前記第１のコピー回数情報更新手段が前記コピー管理情報を更新したときは、更新した前記コピー管理情報の媒体識別情報に対応付けられたコピー先履歴情報を補完する第１のコピー先履歴情報更新手段と、
を有することを特徴とする情報記録装置。
【請求項２】
前記情報記録装置は複数存在し、複数の前記情報記録装置が構内通信ネットワークを介して相互に通信可能であって、
前記コピー許可回数に関する情報及び前記コピー先履歴情報を、他の前記情報記録装置から取得する第３のコピー回数情報取得手段と、
同一の媒体識別情報に関して、前記第３のコピー回数情報取得手段が取得したコピー許可回数に関する情報と、自己の前記所定の記憶部に記録されたコピー許可回数に関する情報を比較し、他の前記情報記録装置から取得した前記コピー許可回数に関する情報が自己の前記コピー許可回数に関する情報より新しいときは、他の前記情報記録装置から取得した前記コピー可能回数に関する情報に基づいて、前記所定の記憶部に記録されたコピー管理情報のコピー許可回数に関する情報を更新する第２のコピー回数情報更新手段と、
前記第２のコピー回数情報更新手段が前記コピー管理情報を更新したときは、更新した前記コピー管理情報の媒体識別情報に対応付けられたコピー先履歴情報に基づいて、前記所定の記憶部に記録されたコピー管理情報のコピー先履歴情報を更新する第２のコピー先履歴情報更新手段と、
を有することを特徴とする請求項１記載の情報記録装置。
【請求項３】
前記コピー許可回数に関する情報は、
その情報記録媒体に予め設定されている全コピー回数に関する情報と、現時点におけるコピー済回数に関する情報を備えることを特徴とする請求項１又は２記載の情報記録装置。
【請求項４】
前記コピー回数表示手段は、
前記所定の記憶部に記録されたコピー管理情報すべてに対して、前記媒体識別情報が具備するデジタルコンテンツのコンテンツ属性情報と、前記コピー許可回数に関する情報及び前記コピー先履歴情報を対応付けて一覧表示することを特徴とする請求項１乃至３のいずれか１項に記載の情報記録装置。
【請求項５】
前記コピー回数管理サーバは、
さらに、前記媒体識別情報と、コピー制限に関する情報を対応付けて管理し、
前記第１のコピー回数情報取得手段は、
前記コピー回数管理サーバから、前記媒体識別情報取得手段が取得した媒体識別情報に対応付けられたコピー制限に関する情報を取得し、
前記コピー回数情報記録手段は、
前記第１のコピー回数情報取得手段が取得したコピー制限に関する情報を、コピー管理情報を前記コピー管理情報に含めて、前記所定の記憶部に記録し、
前記コピー回数表示手段は、
前記コピー管理情報を含めたコピー管理情報を前記所定の表示部に表示出力することを特徴とする請求項１乃至４のいずれか１項に記載の情報記録装置。
【請求項６】
前記コピー回数管理サーバは、マネージドコピーの規格に準拠したサーバであり、前記情報記録装置は、マネージドコピーの規格に準拠した前記情報記録装置であることを特徴とする請求項１乃至５のいずれか１項に記載の情報記録装置。
【請求項７】
情報記録媒体を一意に識別可能な媒体識別情報と前記情報記録媒体に記録されたデジタルコンテンツのコピー許可回数に関する情報を対応付けて管理するコピー回数管理サーバと通信ネットワークを介して相互に通信可能な情報記録装置が読み取り可能なコピー管理プログラムであって、
前記情報記録装置を、
挿入された情報記録媒体の媒体識別情報を取得する媒体識別情報取得手段と、
前記コピー回数管理サーバから、前記媒体識別情報取得手段が取得した媒体識別情報に対応付けられたコピー許可回数に関する情報を取得する第１のコピー回数情報取得手段と、
前記媒体識別情報取得手段が取得した媒体識別情報と、前記第１のコピー回数情報取得手段が取得したコピー許可回数に関する情報及びコピー処理においてコピー先の情報記録媒体の種類を示すコピー先履歴情報を対応付けたコピー管理情報を所定の記憶部に記録するコピー回数情報記録手段と、
ユーザから前記コピー許可回数に関する情報の表示要求を受け付けたときは、前記所定の記憶部に記録されたコピー管理情報を所定の表示部に表示出力するコピー回数表示手段と、
所定の条件が成立したときは、前記所定の記憶部に記録されたコピー管理情報のそれぞれの媒体識別情報に対応付けられたコピー許可回数に関する情報を、前記コピー回数管理サーバから取得する第２のコピー回数情報取得手段と、
前記第２のコピー回数情報取得手段が取得した、それぞれの媒体識別情報に対応付けられたコピー許可回数と、前記所定の記憶部に記録されたコピー管理情報の前記それぞれの媒体識別情報に対応付けられたコピー許可回数を比較して、前記第２のコピー回数情報取得手段が取得したコピー許可回数に関する情報が新しいときは、前記第２のコピー回数情報取得手段が取得したコピー許可回数に関する情報に基づいて、前記所定の記憶部に記録されたコピー管理情報のコピー許可回数に関する情報を更新する第１のコピー回数情報更新手段と、
前記第１のコピー回数情報更新手段が前記コピー管理情報を更新したときは、更新した前記コピー管理情報の媒体識別情報に対応付けられたコピー先履歴情報を補完する第１のコピー先履歴情報更新手段と、
して、機能させることを特徴とするコピー管理プログラム。
【請求項８】
前記情報記録装置は複数存在し、複数の前記情報記録装置が構内通信ネットワークを介して相互に通信可能であって、
前記情報記録装置を
前記コピー許可回数に関する情報及び前記コピー先履歴情報を、他の前記情報記録装置から取得する第３のコピー回数情報取得手段と、
同一の媒体識別情報に関して、前記第３のコピー回数情報取得手段が取得したコピー許可回数に関する情報と、自己の前記所定の記憶部に記録されたコピー許可回数に関する情報を比較し、他の前記情報記録装置から取得した前記コピー許可回数に関する情報が自己の前記コピー許可回数に関する情報より新しいときは、他の前記情報記録装置から取得した前記コピー可能回数に関する情報に基づいて、前記所定の記憶部に記録されたコピー管理情報のコピー許可回数に関する情報を更新する第２のコピー回数情報更新手段と、
前記第２のコピー回数情報更新手段が前記コピー管理情報を更新したときは、更新した前記コピー管理情報の媒体識別情報に対応付けられたコピー先履歴情報に基づいて、前記所定の記憶部に記録されたコピー管理情報のコピー先履歴情報を更新する第２のコピー先履歴情報更新手段と、
して、さらに機能させることを特徴とする請求項７記載のコピー管理プログラム。
【国際調査報告】
2008126285.tif 000013
2008126285.tif 000014
2008126285.tif 000015
2008126285.tif 000016